(57)【要約】【課題】  従来のコネクタは、防滴構造であって、防水構造でないため、水漏れのある部分では使用できない点であり、又、特別品であるため、その都度購入しなければならないという点である。【解決手段】  ＢＮＣコネクタを第１のカバーと第２のカバーで被覆し、第１のカバーと第２のカバーの接続部にＯリングで水漏れ該ように構成し、ＢＮＣコネクタがパネルに固定されるものであれば、ＢＮＣコネクタのパネルに固定するときに第２のカバーを固定して、水漏れはＯリングで防ぎ、又、ＢＮＣコネクタがケーブルとケーブルの接続用に使用される場合は、第２のカバーを第１のカバーと同じように構成するものである。【選択図】図１
2005190958.tif 000002
【特許請求の範囲】
【請求項１】
ＢＮＣコネクタの接続ケーブルの側面に接触されるＯリングを保持する第１のＯリング保持部を設けたケーブル挿入部、該ケーブル挿入部と一体に前記ＢＮＣコネクタ本体と密接して被覆するケーブル本体挿入部、該ケーブル本体挿入部の端部に第２のＯリング保持部を設けた挿入部を形成した第１のカバーと、該第１のカバーの挿入部に挿入される端部、パネルに固着される前記ＢＮＣコネクタを覆い、前記パネルと接触されるＯリングを保持する第３のＯリング保持部を設け、前記ＢＮＣコネクタのパネルに固着される部分と一体に固着される固着部を設けた第２のカバーとからなることを特徴とする防水コネクタ。
【請求項２】
ＢＮＣコネクタの一方の接続ケーブルの側面に接触されるＯリングを保持する第１のＯリング保持部を設けたケーブル挿入部、該ケーブル挿入部と一体に前記ＢＮＣコネクタ本体と密接して被覆するケーブル本体挿入部、該ケーブル本体挿入部の端部に第２のＯリング保持部を設けた挿入部を形成した第１のカバーと、該第１のカバーの挿入部に挿入される端部、該端部と一体に形成され、前記ＢＮＣコネクタ本体と密接して被覆するケーブル本体挿入部、他方の接続ケーブルの側面に接触されるＯリングを保持する第１のＯリング保持部を設けたケーブル挿入部を一体にもうけた第２のカバーとからなることを特徴とする防水コネクタ。
【発明の詳細な説明】
【技術分野】
【０００１】
本発明は、着脱が容易で、直流から高周波に到るまでの広範囲な周波数特性と低漏洩特性を保有していることから通信情報機器に到るまで用いられる防水コネクタに関するものである。
【背景技術】
【０００２】
従来のコネクタとしては、ロックナット部に水密用のＯリングを取り付けた防滴構造である。
【０００３】
しかしながら、このような従来のコネクタは、防滴構造であって、防水構造ではないため、水漏れするような部分には使用できず、又、一般的な構造になっていないために、特別品として購入しなければならないという問題があった。
【特許文献１】特開平４−２９４０７４号
【発明の開示】
【発明が解決しようとする課題】
【０００４】
解決しようとする問題点は、従来のコネクタは、防滴構造であって、防水構造でないため、水漏れのある部分では使用できない点であり、又、特別品であるため、その都度購入しなければならないという点である。
【課題を解決するための手段】
【０００５】
本発明は、ＢＮＣコネクタを第１のカバーと第２のカバーで被覆し、第１のカバーと第２のカバーの接続部にＯリングで水漏れ該ように構成し、ＢＮＣコネクタがパネルに固定されるものであれば、ＢＮＣコネクタのパネルに固定するときに第２のカバーを固定して、水漏れはＯリングで防ぎ、又、ＢＮＣコネクタがケーブルとケーブルの接続用に使用される場合は、第２のカバーを第１のカバーと同じように構成するものである。
【発明の効果】
【０００６】
本発明の防水コネクタは、ＢＮＣコネクタを第１のカバー及び第２のカバーで被覆して、第１のカバーと第２のカバーの接続部をＯリングで水漏れを防ぎ、又、複数のＯリングを配置することにより、防水性能を向上させることができる。
【発明を実施するための最良の形態】
【０００７】
ＢＮＣコネクタを第１のカバーと第２のカバーで被覆し、第１のカバーと第２のカバーの接続部分にＯリングを装着し、又、第１のカバーとＢＮＣコネクタのケーブルとの接触部分にＯリングを装着し、さらに、第２のカバーとパネル又はＢＮＣコネクタの他方のケーブルの接触部分にＯリングを装着して、防水構造とする。
【実施例】
【０００８】
図１は本発明の実施例の防水コネクタの一部断面側面図で、ＢＮＣコネクタ１は本体１ａの一端に接続ネジ１ｂが設けられ、この接続ネジ１ｂにナット２が係合され、本体１ａの他端の本体端部１ｃにケーブル３が接続され、又、このＢＮＣコネクタ１が挿入される第１のカバー４はＢＮＣコネクタ１の本体１ａ及び本体端部１ｃが挿入される本体挿入部４ａと、端部近傍に第１のＯリング５が装着されるＯリング装着部４ｂが形成された端部挿入部４ｃと、ケーブル３が挿入され、ケーブル３と接触する第２のＯリング６が装着されるＯリング装着部４ｄが形成されたケーブル挿入部４ｅとからなり、さらに、第２のカバー７は、第１のカバー４の端部挿入部４ａに嵌合される端部嵌合部７ａと、ＢＮＣコネクタ１の接続ネジ１ｂが貫通する貫通孔７ｂと、貫通孔７ｂの近傍に形成された第３のＯリング８を装着するＯリング装着部７ｃが形成されている。
【０００９】
このように構成された本実施例の防水コネクタでは、第１のカバー４のケーブル挿入部４ｄにＢＮＣコネクタ１のケーブル３を挿入して、本体１ａ及び本体端部１ｃを本体挿入部４ａに挿入すると、第１のカバー４のケーブル挿入部４ｄの第２のＯリング６はケーブル３と密接され、又、第２のカバー７の貫通孔７ｂにＢＮＣコネクタ１の接続ネジ１ｂを挿通し、第２のカバー７の端部嵌合部７ａを第１のカバー３の端部挿入部３ｂに挿入して、第１のカバー４に第２のカバー７を嵌合し、ＢＮＣコネクタ１の接続ネジ１ｂをパネル９の貫通孔９ａに挿通して、接続ネジ１ｂにナット２を係合してパネル固定すると、第１のカバー４と第２のカバー７は第１のＯリング５によって気密になり、又、第１のカバー４とケーブル３は第２のＯリング６で気密になり、さらに、パネルと第２のカバー７の間は第３のＯリング８で気密にすることができ、防水構造とすることができる。
【００１０】
図２は本発明の他の実施例の防水コネクタの一部断面側面図図で、１はＢＮＣコネクタ、１ａは本体、１ｃは本体端部、３はケーブル、４は第１のカバー、４ａは本体挿入部、４ｂは端部挿入部、４ｃはＯリング装着部、４ｄはケーブル挿入部、５は第１のＯリング、６は第２のＯリングであり、これらの構成は上記実施例と同じであるので、説明は省略するが、本実施例では、ＢＮＣコネクタ１は本体１ａの他端に本体端部１ｄが設けられ、本体他端部１ｄにケーブル１０が接続され、ＢＮＣコネクタ１の他端部をカバーする第２のカバー１１は第１のカバー４とほぼ同じように構成され、第２のカバー１１の端部嵌合部１１ａは第１のカバー４の端部挿入部４ｂに嵌合されるように構成され、第２のカバー１１の本体挿入部１１ｂはＢＮＣコネクタ１の本体１ａと本体他端部１ｄが挿入され、ケーブル１０は第４のＯリング１２を装着するＯリング装着部１１ｃを設けたケーブル挿入部１１ｄに挿入されるように構成されている。
【００１１】
このように構成された本実施例では、ＢＮＣコネクタ１の本体１ａ及び本体端部１ｃは第１のカバー４の本体挿入部４ａに挿入され、ケーブル３はケーブル挿入部４ｄに挿入され、又、ＢＮＣコネクタ１の本体１ａ及び本体他端部１ｄを第２のカバー１１の本体挿入部１１ｂに本体１ａ及び本体他端部１ｄが挿入され、ケーブル１０をケーブル挿入部１１ｄに挿入すると、第２のカバー１１の他端嵌合部１１ａは第１のカバー４の端部挿入部４ａに挿入され、第１のカバー４の端部挿入部４ａに設けた第１のＯリング５と第２のカバー１１他端嵌合部１１ａが密接され、ケーブル３は第１のカバー４のケーブル挿入部４ｄに設けた第２のＯリング６と密接され、ケーブル１０は第２のカバー１１のケーブル挿入部１１ｄに設けられ第４のＯリング１２と密接するように構成され、従って、第１のカバー４及び第２のカバー１１によって、ＢＮＣコネクタ１は防水構造とすることができる。
【産業上の利用可能性】
【００１２】
なお、上記実施例は、ＢＮＣコネクタを防水構造にするように構成したが、他のコネクタにおいても、第１、第２のカバーの嵌合部及びコネクタと第１、第２のカバーの接触部分にＯリングを配することによって、コネクタを防水構造とすることができる。
【図面の簡単な説明】
【００１３】
【図１】本発明の実施例の防水コネクタの一部断面側面図である。
【図２】本発明の他の実施例の防水コネクタの一部断面側面図である。
【符号の説明】
【００１４】
１                ＢＮＣコネクタ
２                ナット
３                ケーブル
４                第１のカバー
５                第１のＯリング
６                第２のＯリング
７                第２のカバー
８                第３のＯリング
９                パネル
１０              ケーブル
１１              第２のカバー
１２              第４のＯリング
【図１】
2005190958.tif 000003
【図２】
2005190958.tif 000004